(57)【要約】【課題】  フレキシブル配線基板のうち、実装ケースから引き出される部分の損傷を防止する。【解決手段】  電気光学装置用実装ケースの本体部は、電気光学パネルを、その周縁に電気信号の配送を行うためのフレキシブル配線基板（５０１）の一端側が接続された状態で収容可能に構成され、フレキシブル配線基板の他端側を内部から外部に引き出すための開口を規定する壁部（６１）を含む。壁部は、内部から外部に向かう方向に沿ってフレキシブル配線基板の基板面と交差する断面において、内部側から外部側に向かって拡がる断面形状を有している。【選択図】      図１０
2006119169.tif 000002
【特許請求の範囲】
【請求項１】
外部との間で電気信号が配送され、表示像が表示される電気光学装置に用いられる電気光学パネルを収容するための電気光学装置用実装ケースであって、
前記電気光学パネルを、その周縁に前記電気信号の配送を行うためのフレキシブル配線基板の一端側が接続された状態で収容可能に構成されると共に、前記フレキシブル配線基板の他端側を内部から外部に引き出すための開口を規定する壁部を含む本体部を備えており、
前記壁部は、前記内部から前記外部に向かう方向に沿って前記フレキシブル配線基板の基板面と交差する断面において、前記内部側から前記外部側に向かって拡がる断面形状を有していることを特徴とする電気光学装置用実装ケース。
【請求項２】
前記壁部は、前記開口の外縁において面取りされていることを特徴とする請求項１に記載の電気光学装置用実装ケース。
【請求項３】
前記壁部は、前記開口の外縁において丸められていることを特徴とする請求項１に記載の電気光学装置用実装ケース。
【請求項４】
前記本体部は、前記電気光学パネルが上面に載置される被実装部材と、前記被実装部材の前記上面側を覆う蓋部材とを含んで構成され、前記壁部は、前記被実装部材と前記蓋部材とが空間を隔てて対向する部分として構成されていることを特徴とする請求項１から３のいずれか一項に記載の電気光学装置用実装ケース。
【請求項５】
前記フレキシブル配線基板のうち前記壁部と接触可能な部分に、保護膜が局所的に設けられていることを特徴とする請求項１から４のいずれか一項に記載の電気光学装置用実装ケース。
【請求項６】
前記壁部は、平面的にみて、前記本体部の周縁の所定領域に前記内部から前記外部に向かって延びるように設けられていることを特徴とする請求項１から５のいずれか一項に記載の電気光学装置用実装ケース。
【請求項７】
前記所定領域における前記本体部の外表面に、放熱フィンが付設されていることを特徴とする請求項６に記載の電気光学装置用実装ケース。
【請求項８】
前記放熱フィンは、前記フレキシブル配線基板の延在する方向に沿って延びるように設けられていることを特徴とする請求項７に記載の電気光学装置用実装ケース。
【請求項９】
請求項１から請求項８のいずれか一項に記載の電気光学装置用実装ケースと、前記本体部に収容された前記電気光学パネルと、前記電気光学パネルの周縁に一端側が接続されると共に他端側が前記開口から外部に引き出された前記フレキシブル配線基板とを備えることを特徴とする電気光学装置。
【請求項１０】
請求項９に記載の電気光学装置を備えることを特徴とする電子機器。
【発明の詳細な説明】
【技術分野】
【０００１】
本発明は、電気光学装置に用いる電気光学パネルを実装する実装ケース、及びそのような電気光学パネルを備えた液晶装置等の電気光学装置、並びに、該電気光学装置を例えばライトバルブとして適用する電子機器の技術分野に関する。
【背景技術】
【０００２】
この種の電気光学パネルは、液晶プロジェクタ等の電子機器におけるライトバルブとして用いられる際には、機器の筐体等にいわば裸の状態で設置されるのではなく、適当な実装ケースに実装ないし収容した上で設置される。このように電気光学パネルを実装ケースに収容するのは、第１義的には、当該実装ケースに適当なねじ孔等を設けておくことで、電気光学パネルの筐体等に対する固定、取り付けを容易に実施できるからである。
【０００３】
このような電子機器では、電気光学装置に対する投射光は非常に強く、高温による電気光学パネルの劣化等を防止するため、特許文献１等に記載されているように、実装ケースに冷却機構を備えることも多い。また、特許文献１にも記載されているように、電気光学パネルは通常、外部と電気信号のやり取りと行うための外部回路接続端子を周縁に有し、そこにフレキシブル配線基板が取り付けられる。実装ケース内で一端側が電気光学パネルに接続されたフレキシブル配線基板の他端側は、実装ケースの開口部から外部へ引き出され、例えば外部回路基板のコネクタに接続される。
【０００４】
【特許文献１】特開２００４−１９８９３４号公報
【発明の開示】
【発明が解決しようとする課題】
【０００５】
しかしながら、その際に、フレキシブル配線基板の他端側がコネクタの方向に曲げられて実装ケースに接触すると、表面に形成された配線が断線或いは短絡するなど、フレキシブル配線基板が損傷するおそれがある。
【０００６】
本発明は、例えば上記問題点に鑑みてなされたものであり、フレキシブル配線基板の引き出し部分の損傷を防止することが可能な電気光学装置用実装ケース、及びこれを備えた電気光学装置、並びに該電気光学装置を備えた電子機器を提供することを課題とする。
【課題を解決するための手段】
【０００７】
本発明の電気光学装置用実装ケースは、上記課題を解決するために、外部との間で電気信号が配送され、表示像が表示される電気光学装置に用いられる電気光学パネルを収容するための電気光学装置用実装ケースであって、前記電気光学パネルを、その周縁に前記電気信号の配送を行うためのフレキシブル配線基板の一端側が接続された状態で収容可能に構成されると共に、前記フレキシブル配線基板の他端側を内部から外部に引き出すための開口を規定する壁部を含む本体部を備えており、前記壁部は、前記内部から前記外部に向かう方向に沿って前記フレキシブル配線基板の基板面と交差する断面において、前記内部側から前記外部側に向かって拡がる断面形状を有している。
【０００８】
本発明の電気光学装置用実装ケース（以下、適宜「実装ケース」と略称する）によれば、本体部内に電気光学パネルが収容されると共に、本体部に形成された開口からフレキシブル配線基板がケース外に引き出される。この実装ケースは、開口を有していればよく、その具体的構造は特に制限されない。また、電気光学パネルに接続されるフレキシブル配線基板の数や、実装ケースに設けられる開口の数も、特に限定されない。
【０００９】
ＦＰＣ（フレキシブルプリント配線板）等のフレキシブル配線基板は、柔軟性ないし屈曲性があるために、一端側が実装ケース内の電気光学パネルに接続された状態で、他端側を、実装ケースの外部に適宜に配置された外部コネクタ等に対し、比較的自在に接続することができる。ここで仮に、実装ケース本体において開口を規定する壁部に、何ら工夫を施さなければ、フレキシブル配線基板は、外部コネクタと接続する際などにきつく曲げられると、壁部の外縁を構成する稜部に当接して損傷する可能性がある。即ち、実装ケースは、剛性や放熱性の観点から通常金属製であり、フレキシブル配線基板は、その角張った稜部に当接することで表面の配線が損傷するおそれがある。或いは、フレキシブル配線基板が稜線に沿って折り曲げるようにして曲げられると、基板の当接部位に応力が集中してしまい、基板そのものが損傷するおそれがある。
【００１０】
これに対し、本発明の実装ケースにて開口を規定する壁部は、内部から外部に向かう方向に沿ってフレキシブル配線基板の基板面と交差する断面において、内部側から外部側に向かって拡がる断面形状を有している。即ち、本発明における壁部は、稜部を有する代わりに、稜部の形成領域を含む領域が角張らない形状で構成されている。そのため、上記のような、稜部によるフレキシブル配線基板の損傷を防止することができる。このような壁部は、少なくとも、フレキシブル配線基板が折り曲げられる方向における外縁が、内部側から外部側に向かって拡がるような断面形状を有するように形成されていればよい。
【００１１】
また、実装ケースに収容される電気光学パネルは、例えばプロジェクタのライトバルブとして表示像を投射し、駆動中に投射光等による熱を受ける。本発明の実装ケースでは、開口を規定する壁部が、内側から外側に向かって拡がる断面形状をしているので、ケース内外における通気が比較的潤滑に行われ、電気光学パネルの冷却効果を高めることも可能である。よって、ホットスポットの発生等が抑制される。
【００１２】
以上説明したように、本発明の電気光学装置用実装ケースによれば、電気光学パネルに接続されるフレキシブル配線基板の損傷を抑制又は防止することができ、実装ケースに電気光学パネルが実装された電気光学装置が用いられる電子機器等の製造品質の低下を防止することが可能となる。また、この電気光学装置用実装ケースは、その壁部の形状から、電気光学パネルの冷却効率の向上に寄与し、電気光学装置における表示品質の低下を防止することができる。
【００１３】
本発明の電気光学装置用実装ケースの一態様では、前記縁部は、前記開口の外縁において面取りされている。
【００１４】
この態様によれば、開口を規定する壁部は、外縁が面取りされることで、内部側から外部側に向かって拡がるような断面形状を有するように構成される。この場合の壁部は、あたかも外部に面した角張った稜部が削ぎ落とされたように構成されており、外縁の角張りが緩和されるために、上記の作用及び効果を十分に発揮することができる。
【００１５】
本発明の電気光学装置用実装ケースの他の態様では、前記縁部は、前記開口の外縁において丸められている。
【００１６】
この態様によれば、開口を規定する壁部は、外縁が丸みを帯びたように形成されることで、内部側から外部側に向かって拡がるような断面形状を有するように構成される。よって、外縁の角張りが緩和されるために、上記の作用及び効果を十分に発揮することができる。
【００１７】
本発明の電気光学装置用実装ケースの他の態様では、前記本体部は、前記電気光学パネルが上面に載置される被実装部材と、前記被実装部材の前記上面側を覆う蓋部材とを含んで構成され、前記壁部は、前記被実装部材と蓋部材とが空間を隔てて対向する部分として構成されている。
【００１８】
この態様によれば、実装ケースの本体部は、電気光学パネルを載置する被実装部材と、この被実装部材の上面側を覆う蓋部材とが合わさるように構成されている。そして、本体部の開口を規定する壁部は、そのうちの一方によって構成されるのではなく、これら２つの部材によって構成される。開口は、薄いフレキシブル配線基板に合わせてスリット状に形成されるため、一つの面を貫通させて形成するよりは２つの部材の溝を組み合わせるように構成するほうが製造上形成しやすく、本発明のように縁部に細かな形状の変更を伴う場合には後者の方が設計に忠実に形成しやすいという利点がある。
【００１９】
本発明の電気光学装置用実装ケースの他の態様では、前記フレキシブル配線基板のうち前記壁部と接触可能な部分に、保護膜が局所的に設けられている。
【００２０】
この態様によれば、フレキシブル配線基板の一端側が本発明の実装ケースに収容された電気光学パネルに接続され、他端側が開口部から実装ケース外に引き出される場合に、当該フレキシブル配線基板のうち、他端側が曲げられた場合に開口部に接触するおそれがある部分に対して、局所的に保護膜が設けられる。保護膜は、例えば、配線の保護に用いられるような絶縁膜等であってよく、例えばフレキシブル配線基板に印刷等で成膜されてもよいし、フィルム状の保護膜を接着剤等で貼付するようにしてもよい。この場合、フレキシブル配線基板の損傷をより確実に防止することが可能となる。
【００２１】
本発明の電気光学装置用実装ケースの他の態様では、前記壁部は、平面的にみて、前記本体部の周縁の所定領域に前記内部から前記外部に向かって延びるように設けられている。
【００２２】
この態様によれば、本体部は、周縁の所定領域において、内部から外部に向かう方向に延びるトンネル状の壁部により開口されている。よって、本体部は、表面積を稼ぐことができ、前述した壁部の形状に起因する通風効果と相まって、実装ケースの冷却能を高めることができる。
【００２３】
この開口部が内部から外部に向かって延びている態様では、前記所定領域における前記本体部の外表面に、放熱フィンが付設されていてもよい。
【００２４】
この態様によれば、内部から外部に向かう方向に延びるように形成されていることで、平面的に一定の領域を占める壁部の外表面に、放熱フィンが設けられている。よって、本体部のうち壁部が占める領域が、実装ケースの表面積増大のために、より有効に利用され、実装ケースの冷却能を一層高めることができる。
【００２５】
この放熱フィンは、前記フレキシブル配線基板の延在する方向に沿って延びるように設けられていてもよい。
【００２６】
この場合、本体部が開口を介して通気するのと同時に、この通気の向きに放熱フィンが空気の流れをつくるように働く。そのために、冷却効率が向上する。
【００２７】
本発明の電気光学装置は、上記課題を解決するために、本発明の電気光学装置用実装ケース（但し、その各種態様を含む）と、前記本体部に収容された前記電気光学パネルと、前記電気光学パネルの周縁に一端側が接続されると共に他端側が前記開口から外部に引き出された前記フレキシブル配線基板とを備える。
【００２８】
本発明の電気光学装置によれば、本発明の実装ケースに、フレキシブル配線基板の一端側が接続された電気光学パネルが収容されている。そして、フレキシブル配線基板の他端側は、実装ケース本体の開口部から実装ケース外へと引き出されている。そのため、フレキシブル配線基板の損傷を防止することができ、製造品質の低下を防止することが可能となる。また、開口部の形状から、電気光学パネルを効率よく冷却でき、表示品質の低下を防止することが可能である。
【００２９】
尚、このような電気光学装置には、例えば、液晶装置、有機ＥＬ装置、電子ペーパ等の電気泳動装置、電子放出素子を利用した表示装置（Field Emission Display及びSurface-Conduction Electron-Emitter Display）等の各種装置が挙げられる。
【００３０】
本発明の電子機器は、上記課題を解決するために、本発明の電気光学装置を備える。
【００３１】
本発明の電子機器は、本発明の電気光学装置を備えるようにしたので、上記の電気光学装置と同様の作用及び効果を奏する。
【００３２】
また、このような電子機器は、上記電気光学装置を具備してなるテレビジョン受像機、携帯電話、電子手帳、ワードプロセッサ、ビューファインダ型又はモニタ直視型のビデオテープレコーダ、ワークステーション、テレビ電話、ＰＯＳ端末、タッチパネル等の各種の電子機器であってよい。
【００３３】
本発明のこのような作用及び他の利得は、次に説明する実施形態から明らかにされる。
【発明を実施するための最良の形態】
【００３４】
本発明の実施形態について図を参照して説明する。
【００３５】
（１：電子機器の実施形態）
先ず、図１を参照し、本実施形態の電子機器の構成について説明する。図１は、本実施形態に係る電子機器の概略構成を示している。尚、本実施形態では、本発明の電子機器として、投射型液晶プロジェクタを例にとる。
【００３６】
図１において、液晶プロジェクタ１１００は、夫々ＲＧＢ用の液晶ライトバルブ１００Ｒ、１００Ｇ及び１００Ｂの３枚を用いた複板式カラープロジェクタとして構築されている。
【００３７】
液晶プロジェクタ１１００では、メタルハライドランプ等の白色光源のランプユニット１１０２から投射光が発せられると、３枚のミラー１１０６及び２枚のダイクロイックミラー１１０８によって、ＲＧＢの３原色に対応する光成分Ｒ、Ｇ及びＢに分けられ、各色に対応する液晶ライトバルブ１００Ｒ、１００Ｇ及び１００Ｂに夫々導かれる。この際特にＢ光は、長い光路による光損失を防ぐために、入射レンズ１１２２、リレーレンズ１１２３及び出射レンズ１１２４からなるリレーレンズ系１１２１を介して導かれる。そして、液晶ライトバルブ１００Ｒ、１００Ｇ及び１００Ｂにより夫々変調された３原色に対応する光成分は、ダイクロイックプリズム１１１２により合成された後、投射レンズ１１１４を介してスクリーン１１２０にカラー映像として投射される。尚、以下の説明では、液晶ライトバルブ１００Ｒ、１００Ｇ及び１００Ｂを区別なく指し示す場合には、液晶ライトバルブ１００と記すことにする。また、ここでは、液晶ライトバルブ１００Ｒ、１００Ｇ及び１００Ｂの夫々が、本発明の「電気光学装置」の一具体例に相当している。
【００３８】
液晶ライトバルブ１００は、例えば、後述の如きアクティブマトリクス駆動方式の液晶パネルが実装ケースに収容されて構成されている。
【００３９】
また、この液晶プロジェクタ１１００には、液晶ライトバルブ１００Ｒ、１００Ｇ及び１００Ｂに冷却風を送るためのシロッコファン１３００が設けられている。このシロッコファン１３００は、その側面に複数のブレード１３０１を備えた略円筒形状の部材を含んでおり、該円筒形状の部材がその軸を中心として回転することで前記ブレード１３０１が風を生じさせるようになっている。尚、このような原理から、シロッコファン１３００で作り出される風は、らせん状に渦巻いたものとなる。このような風は、図１には図示されない風路を通じて各液晶ライトバルブ１００Ｒ、１００Ｇ及び１００Ｂに送給され、各液晶ライトバルブ１００Ｒ、１００Ｇ及び１００Ｂの近傍に設けられた吹き出し口１００ＲＷ、１００ＧＷ及び１００ＢＷから、液晶ライトバルブ１００Ｒ、１００Ｇ及び１００Ｂの夫々に対して送り出されるようになっている。
【００４０】
以上説明した構成においては、液晶ライトバルブ１００Ｒ、１００Ｇ及び１００Ｂの各実装ケースは、ダイクロイックプリズム１１１２の３つの側面に夫々付設されている。その各実装ケースからは、内部で液晶装置と接続されたＦＰＣが引き出されている。引き出されたＦＰＣの各端部は、ダイクロイックプリズム１１１２の上面側或いは下面側に曲げられて、外部コネクタに接続される。その際、きつく曲げると、ＦＰＣを損傷する可能性がある。
【００４１】
また、このような液晶プロジェクタ１１００の駆動時には、強力な光源たるランプユニット１１０２からの投射光により、液晶ライトバルブ１００において温度が上昇する。この際、過度に温度が上昇すると、液晶ライトバルブ１００内の液晶が劣化したり、光源光のむらによる部分的な液晶パネルの加熱によるホットスポットの出現により透過率にムラが生じたりする。
【００４２】
そこで、本実施形態では、特に液晶ライトバルブ１００を以下のように構成し、ＦＰＣの損傷を防止すると共に、その温度上昇を効率的に抑制する。
【００４３】
（２：電気光学装置の実施形態）
次に、本発明の電気光学装置に係る実施形態を説明する。本発明の「電気光学装置」の一例たる液晶ライトバルブ１００は、液晶パネルが実装ケースに収容されてなる。そこで、先ず液晶パネルの構成について図２及び図３を参照して説明し、続いて液晶ライトバルブ１００全体の構成について図４から図１１を参照して説明する。
【００４４】
（２−１：液晶パネルの構成）
本実施形態における液晶パネルは、本発明の「電気光学パネル」の一具体例であり、駆動回路内蔵型のＴＦＴアクティブマトリクス駆動方式を採る。図２は、ＴＦＴアレイ基板をその上に形成された各構成要素と共に対向基板の側から見た液晶パネルの平面図であり、図３は、図２のＨ−Ｈ'断面図である。
【００４５】
図２及び図３において、液晶パネルでは、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、画像表示領域１０ａの周囲に位置するシール領域に設けられたシール材５２により相互に接着されている。
【００４６】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。また、シール材５２中には、ＴＦＴアレイ基板１０と対向基板２０との間隔（基板間ギャップ）を所定値とするためのグラスファイバ或いはガラスビーズ等のギャップ材が散布されている。即ち、本実施形態の電気光学装置は、プロジェクタのライトバルブ用として小型で拡大表示を行うのに適している。
【００４７】
シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００４８】
画像表示領域の周辺に広がる領域のうち、シール材５２が配置されたシール領域の外側に位置する周辺領域には、データ線駆動回路１０１及び外部回路接続端子１０２がＴＦＴアレイ基板１０の一辺に沿って設けられており、走査線駆動回路１０４が、この一辺に隣接する２辺に沿って設けられている。更にＴＦＴアレイ基板１０の残る一辺には、画像表示領域１０ａの両側に設けられた走査線駆動回路１０４間をつなぐための複数の配線１０５が設けられている。また図２に示すように、対向基板２０の４つのコーナー部には、両基板間の上下導通端子として機能する上下導通材１０６が配置されている。他方、ＴＦＴアレイ基板１０にはこれらのコーナーに対向する領域において上下導通端子が設けられている。これらにより、ＴＦＴアレイ基板１０と対向基板２０との間で電気的な導通をとることができる。
【００４９】
図３において、ＴＦＴアレイ基板１０上には、画素スイッチング用のＴＦＴや走査線、データ線等の配線が形成された後の画素電極９ａ上に、配向膜が形成されている。他方、対向基板２０上には、対向電極２１の他、格子状又はストライプ状の遮光膜２３、更には最上層部分に配向膜が形成されている。また、液晶層５０は、例えば一種又は数種類のネマティック液晶を混合した液晶からなり、これら一対の配向膜間で、所定の配向状態をとる。
【００５０】
尚、図２及び図３に示したＴＦＴアレイ基板１０上には、データ線駆動回路１０１、走査線駆動回路１０４等に加えて、画像信号線上の画像信号をサンプリングしてデータ線に供給するサンプリング回路、複数のデータ線に所定電圧レベルのプリチャージ信号を画像信号に先行して各々供給するプリチャージ回路、製造途中や出荷時の当該電気光学装置の品質、欠陥等を検査するための検査回路等を形成してもよい。
【００５１】
（２−２：液晶ライトバルブの構成）
次に、図４から図１１を参照して、以上に説明した液晶パネルを実装した液晶ライトバルブの具体的構成について説明する。図４は、本実施形態に係る液晶ライトバルブを示す分解斜視図であり、図５は当該液晶ライトバルブの平面図、図６は図５のＸ１−Ｘ１’断面図、図７は図５のＹ１−Ｙ１’断面図である。図８は図５のＺ１方向から見た正面図であり、図９は図５のＺ２方向から見た背面図である。また、図１０及び図１１は、本実施形態の液晶ライトバルブの一部を拡大して表す斜視図及び断面図である。
【００５２】
図４から図９に示すように、実装ケース６０１は、プレート部６１０とカバー部６２０とを備える。本発明の「被実装部材」の一例たるプレート部６１０の上面に、液晶パネル５００が載置され、本発明の「蓋部材」の一例たるカバー部６２０は、プレート部６１０の上面側を覆うように構成されている。
【００５３】
実装ケース６０１内に収容される液晶パネル５００は、図２及び図３に示した形態をしており、画像表示領域の外表面に反射防止板等の光学部材が付設され、更にその外部回路接続端子にＦＰＣ（即ち、フレキシブルプリント配線板）５０１が接続されてなる。尚、偏光板や位相差板等は、液晶プロジェクタ１１００の光学系が備えていてもよいし、液晶パネル５００に付設されてもよい。また、ＴＦＴアレイ基板１０及び対向基板２０夫々の液晶層５０に対向しない側には、防塵用基板４００が設けられている（図４等参照）。
【００５４】
尚、本実施形態においては、カバー部６２０の側から光が入射し、液晶パネル５００を透過して、プレート部６１０の側から出射するということを前提とする。つまり、図１でいえば、ダイクロイックプリズム１１１２に対向するのは、カバー部６２０ではなくて、プレート部６１０ということになる。
【００５５】
図４において、プレート部６１０は、窓部６１５、折り曲げ部６１３、カバー部固定孔６１２ａ及び６１２ｂ、及び、取付孔６１１ａ〜６１１ｅを有する。
【００５６】
窓部６１５は、略四辺形状を有する部材の一部が開口形状に形成されており、液晶パネル５００を透過した光の出射を可能とする。即ち、窓部６１５は、液晶パネル５００の画像表示領域１０ａに対向して設けられ、窓部６１５の辺縁に、画像表示領域１０ａの周辺に位置する周辺領域が当接する状態となる。そのため、液晶パネル５００からプレート部６１０へ熱を伝導させることができる。
【００５７】
折り曲げ部６１３は、プレート部６１０の対向する２つの側部が、内側に向かって折り曲げられてなる。折り曲げ部６１３の外面は、プレート部６１０とカバー部６２０とを組み合わせる際に、カバー部６２０の内面に接するようにされている（図６参照）。そのため、液晶パネル５００からプレート部６１０へと伝わった熱を、折り曲げ部６１３を介してカバー部６２０へと伝達可能となっている。
【００５８】
カバー部固定孔６１２ａ及び６１２ｂは、カバー部６２０の対応する位置に形成された凸部６２１ａ及び６２１ｂの夫々と嵌合するように形成されている。プレート部６１０とカバー部６２０とは、カバー部固定孔６１２ａ及び６１２ｂと凸部６２１ａ及び６２１ｂとが互いに嵌合することによって、相互に固定される。
【００５９】
取付孔６１１ａ〜６１１ｄは、当該液晶ライトバルブを、図１に示した如き液晶プロジェクタ１１００内に取り付けする際に利用される。取付孔６１１ａ〜６１１ｄは、略四辺形状を有する部材の四隅に設けられている。また、プレート部６１０には、これら取付孔６１１ａ〜６１１ｄの他に、取付孔６１１ｅが設けられている。取付孔６１１ｅは、取付孔６１１ａ〜６１１ｄのうち、取付孔６１１ｃ及び６１１ｄと共に三角形を形作るように配置されている。その結果、本実施形態の液晶ライトバルブでは、四隅の取付孔６１１ａ乃至６１１ｄを用いた四点固定と、取付孔６１１ｅ、６１１ｃ及び６１１ｄを用いた三点固定の双方が実施可能である。
【００６０】
カバー部６２０は、液晶パネル５００の周辺領域における光抜けを防止すると共に周辺領域からの迷光が画像表示領域１０ａ内に進入するのを防ぐように、好ましくは金属或いは遮光性の樹脂等からなる。更に、該カバー部６２０は、プレート部６１０、或いは液晶パネル５００に対するヒートシンクとして機能させることが好ましいことから、熱伝導率の比較的大きい材料、具体的には、アルミニウム、マグネシウム、銅又はこれらの合金等から構成するようにするとよい。
【００６１】
このようなカバー部６２０は、凸部６２１ａ及び６２１ｂ、冷却風導入部６２２、冷却風排出部６２４及びカバー本体部６２３を有する。
【００６２】
凸部６２１ａ及び６２１ｂは、既に述べたように、プレート部６１０との固定に用いられ、前記カバー部固定孔６１２ａ及び６１２ｂの夫々と対応する位置に形成されている（尚、図５の視点からは、本来凸部６２１ａ及び６２１ｂは図示されないが、図５では特にこれらを示している）。
【００６３】
カバー本体部６２３は、図４から図９に示されているように、概略、直方体形状の部材であって、後述する冷却風導入部６２２及び冷却風排出部６２４間に挟まれるようにして存在している。ただし、カバー本体部６２３の内側は、液晶パネル５００を収容するために、いわばくり抜かれたような状態となっている。カバー本体部６２３は、より詳細には、窓部６２５、サイドフィン部６２８及び冷却風導通部６２３Ｈ（６２３Ｈ１〜６２３Ｈ３）を有している。このうち窓部６２５は、図６中、上方から下方への光の透過を可能とするために開口されている。図１に示した液晶プロジェクタ１１００内のランプユニット１１０２から発せられた光は、この窓部６２５を通過して液晶パネル５００に入射可能となる。尚、窓部６２５の辺縁は、プレート部６１０の窓部６１５の辺縁と同様、液晶パネル５００の周辺領域に当接している。これにより、液晶パネル５００からカバー部６２０への熱の伝達が滞りなく行われるようになる。
【００６４】
サイドフィン部６２８は、カバー本体部６２３の両側面に形成された、千鳥足状に配列された各部からなり、カバー本体部６２３、ないしカバー部６２０の表面積を増大させるように機能する。
【００６５】
冷却風導入部６２２は、図４或いは図７等によく示されているように、テーパ部６２２Ｔ及び導風板６２２Ｐからなる。ここでテーパ部６２２Ｔは、カバー本体部６２３の側面上において最大高さとなる根元部６２２Ｔ１を有し（但し、ここでいう「高さ」とは、図７中、上下方向の距離をいう。）、そこから次第に高さを減じた先端部６２２Ｔ２を有するようなテーパ形状となっている。導風板６２２Ｐは、テーパ部６２２Ｔの両脇に立設されている。
【００６６】
冷却風排出部６２４は、図４、図５、或いは図９等によく示されているように、リアフィン部６２４Ｆを含んで構成されている。リアフィン部６２４Ｆは、直線状に突出した各部分が複数並列されてなり、カバー部６２０の表面積を増大するように機能する。
【００６７】
冷却風導通部６２３Ｈは、冷却風入口６２３Ｈ１（図８を参照）、通り路６２３Ｈ２（図７を参照）及び冷却風出口６２３Ｈ３（図９を参照）からなる。図８及び図９から明らかなように、冷却風入口６２３Ｈ１及び冷却風出口６２３Ｈ３は、相互に対向し合うカバー本体部６２３の両側面に形成されている。通り路６２３Ｈ２は、冷却風入口６２３Ｈ１と冷却風出口６２３Ｈ３との間に、カバー本体部６２３の内面と液晶パネル５００の両側面とを使って形成されている。
【００６８】
本実施形態では、冷却風出口６２３Ｈ３から、一端側が液晶パネル５００に接続されたＦＰＣ５０１の他端側が実装ケース６０１外へ引き出される。
【００６９】
図１０において、実装ケース６０１にて冷却風出口６２３Ｈ３としての開口を規定する壁部６１は、実装ケース６０１の内部から外部に向かう方向に沿ってＦＰＣ５０１の面と交差する断面（即ち、図１０における壁部６１の断面）において、実装ケース６０１の内部側から外部側に向かって拡がる断面形状を有している。具体的には、壁部６１の外縁には、稜部６１ａ’が面取りされた状態に切り欠き部６１ａが形成されている。即ち、壁部６１の外縁は、角張った稜部６１ａ’が削ぎ落とされたように構成されており、角張りが緩和されている。
【００７０】
壁部６１は、プレート部６１０とカバー部６２０とが空間を隔てて対向する部分として構成され（図９参照）、冷却風排出部６２４に合わせて実装ケース６０１の内部から外部に向かう方向に延在するように設けられている（図５参照）。そして、この壁部６１のカバー部６２０側の外表面に、リアフィン部６２４Ｆが付設されている。リアフィン部６２４Ｆは、ＦＰＣ５０１の延在方向、概ね冷却風導通部６２３Ｈの延在方向に沿って延びるように設けられている。
【００７１】
図１１（ａ）において、ＦＰＣ５０１は、壁部６１が規定する冷却風出口６２３Ｈ３から引き出された後、図１に示した如きダイクロイックプリズム１１１２の一所定面側にて外部コネクタと接続されるために、液晶プロジェクタ１１００の組み立て時には矢印で示したようにリアフィン６２４Ｆ側に曲げられる。その際、壁部６１の外縁は、切り欠き部６１ａのおかげで角張らないように構成されているために、この部分に当接することによるＦＰＣ５０１自体、又は、その表面に形成された配線の損傷を防止することが可能である。或いは、ＦＰＣ５０１がこの外縁に当接すること自体も、ある程度回避できる。
【００７２】
図１１（ｂ）に示した比較例では、壁部６１’の外縁は、角張った稜部６１ａ’により構成されている。この場合、ＦＰＣ５０１’が矢印方向に曲げられると、その表面の配線が、金属製の壁部６１’の稜部６１ａ’に当接して損傷してしまう可能性がある。また、ＦＰＣ５０１が稜部６１ａ’に沿って折り曲げるようにして曲げられれば、ＦＰＣ５０１の当接部位に応力が集中してしまい、ＦＰＣ５０１そのものが破損するおそれがある。
【００７３】
また、本実施形態におけるＦＰＣ５０１は、図１１（ａ）に示したように、壁部６１と接触可能な部分の表面に、局所的に保護膜５０２が設けられている。この保護膜５０２は、例えば、絶縁膜として印刷等によりＦＰＣ５０１の表面に形成されてもよいし、絶縁性の樹脂フィルム等としてＦＰＣ５０１の表面に貼り付けられてもよい。このため、ＦＰＣ５０１自体、及び、その表面に形成された配線の損傷は、一層確実に防止される。
【００７４】
（液晶ライトバルブの動作）
次に、図１２及び図１３を参照して、以上に説明した液晶ライトバルブの動作について説明する。図１２は、本実施形態に係る液晶ライトバルブに対する典型的な風の流れ方を示している。図１３は、冷却風導通部６２３Ｈの中を流れる冷却風を示している。
【００７５】
本実施形態に係る液晶ライトバルブでは、実装ケース６０１が以上のような構成をとることで、図１に示した如き液晶プロジェクタ１１００においては、シロッコファン１３００から送られてきた風が、実装ケース６０１ないしカバー部６２０において、図１２及び図１３に示すように流れることになる。尚、このような冷却風の流れを実現するためには、図１の吹き出し口１００ＲＷ、１００ＧＷ及び１００ＢＷが、カバー６２０を構成する冷却風導入部６２２と対向するように、液晶ライトバルブ１００Ｒ、１００Ｇ及び１００Ｂを配置する必要がある。
【００７６】
実装ケース６０１の外表では、図１２に示す冷却風Ｗ１、Ｗ２及びＷ３等のような風の流れが実現されることになる。そのため、液晶パネル５００が効果的に冷却される。これは、テーパ部６２２Ｔをあたかも駆け上がるようにしてカバー本体部６２３へ冷却風が吹き抜けるようになっていること（符号Ｗ１参照）、また、冷却風導入部６２２には導風板６２２Ｐが設けられていることにより、冷却風がどの方向からきても、その大部分をテーパ部６２２Ｔ上、延いてはカバー本体部６２３へと導くことが可能となっていること（符号Ｗ２参照）による。冷却風Ｗ１及びＷ２は、窓６２５における露出面から液晶パネル５００の熱を奪っていく。即ち、本実施形態の液晶ライトバルブでは、カバー本体部６２３へ向けて冷却風を効率よく送り出し、液晶パネル５００で発生した熱を直接的に奪うことができる。
【００７７】
また、冷却風導入部６２２の導風板６２２Ｐの外側（即ち、テーパ部６２２Ｔに対向しない側）にあたった風（符号Ｗ３参照）、或いは前記のように液晶パネル５００の表面ないしその近傍に至った後、カバー本体部６２３の側面に流れる風等が、サイドフィン部６２８に至り、或いは前記の冷却風Ｗ１及びＷ２等がリアフィン部６２４Ｆに至ることにより、効率よくカバー部６２０が冷却される。このようにカバー部６２０が効果的に冷却されると、液晶パネル５００からプレート部６１０ないしカバー部６２０に伝達される熱を実装ケース６０１外へ放出するのに非常に有効である。ここで、リアフィン部６２４Ｆは、向きが冷却風Ｗ１及びＷ２の方向とほぼ合致しているために、風の流れをつくるのに寄与する。また、本実施形態では、リアフィン部６２４Ｆの下に設けられ、冷却風出口６２３Ｈ３を規定する壁部６１も、リアフィン部６２４Ｆが搭載されるほどに延在されることで実装ケース６０１の表面積を増大するのに寄与し、液晶パネル５００の冷却効率を高めている。
【００７８】
更に、ここでは、カバー本体部６２３に冷却風導通部６２３Ｈが形成されていることにより、カバー部６２０内を冷却風が吹き抜ける（図中符号ＷＤ参照）。即ち、冷却風導入部６２２に向かって吹いてきた冷却風ＷＤは、冷却風入口６２３Ｈ１からカバー本体部６２３の内部に入り、通り路６２３Ｈ２を抜けて、冷却風出口６２３Ｈ３からカバー本体部６２３の外部へ抜けるという流れ方をする。この際、通り路６２３Ｈ２を構成する面の一部は、前述したように液晶パネル５００の両側面を含んでいるから（図６参照）、冷却風ＷＤは、液晶パネル５００を直接的に冷却することになる。また、通り路６２３Ｈ２を構成する面の他の一部は、プレート部６１０或いはカバー部６２０の内面の一部を含んでいるから、冷却風ＷＤは、プレート部６１０及びカバー部６２０も冷却する。
【００７９】
ここで、冷却風導通部６２３Ｈは、カバー本体部６２３Ｈの相互に対向し合う両側面に冷却風入口６２３Ｈ１及び冷却風出口６２３Ｈ３を備えることで、液晶パネル５００、或いはカバー部６２０ないしはプレート部６１０を冷却した冷却風は、冷却風出口６２３Ｈ３から速やかに実装ケース６０１の外部へ吹き出されるとともに、冷却風入口６２３Ｈ１からは常に新鮮な冷却風が送り込まれるようになっている。即ち、冷却風の行き交いがより活発に行われ得る。
【００８０】
加えて、本実施形態においては、冷却風出口６２３Ｈ３の開口を規定する壁部６１が、実装ケース６０１の内側から外側に向かって拡がる断面形状をしていることから、冷却風導通部６２３による通風が比較的潤滑に行われる。よって、液晶パネル５００の冷却効率は、更に向上する。
【００８１】
以上説明したように、本実施形態では、実装ケース６０１における壁部６１を、外縁に切り欠き部６１ａを有する形状としたので、液晶パネル５００に接続されるＦＰＣ５０１の損傷を防止することができ、延いては、液晶プロジェクタ１１００における液晶ライトバルブ１００の製造品質の低下を防止することが可能となる。
【００８２】
また、壁部６１の形状から冷却風導通部６２３による通風が比較的潤滑に行われ、液晶パネル５００を効率よく冷却できる。よって、液晶パネル５００における液晶層５０の劣化、或いはホットスポットの発生等が未然防止され、液晶ライトバルブ１００、延いては液晶プロジェクタ１１００における表示品質の低下を防止することができる。
【００８３】
（冷却風出口６２３Ｈ３を規定する壁部に係る変形例）
上記実施形態では、壁部６１は、外縁に切り欠き部６１ａを有するものとしたが、本発明の壁部は、フレキシブル配線基板の損傷を防止或いは軽減するように、実装ケース内部から外部に向かう方向に沿ってフレキシブル配線基板の基板面と交差する断面（例えば、図１０及び図１１（ａ）の断面）において、内部から外部に向かって拡がる断面形状を有していればよく、実施形態以外にも種々の変形が可能である。
【００８４】
例えば、図１４における変形例では、壁部６２の外縁６２ａは丸められている。この場合、ＦＰＣ５０１は、仮に外縁６２ａに当接したとしても、外縁６２ａには角がないために損傷のおそれが極めて低い。
【００８５】
図１５における変形例は、このような丸みを、より広範囲につけるようにした場合を示している。即ち、壁部６３及び壁部６４は、夫々、カバー部６２０及びフレーム部６１０の一部であり、これら壁部６３及び６４が規定する冷却風出口６２３Ｈ３の開口は、内部から外部にかけての比較的広範な領域で漸近的に拡がっている。このため、ＦＰＣ５０１の損傷防止効果に加え、冷却風導通部６２３による通風をより潤滑に行うことができる。尚、本発明の壁部は、実施形態のようにＦＰＣ５０１の片面側、即ちＦＰＣ５０１が曲げられる側にのみ特徴的な断面形状を有していてもよいが、本変形例のようにＦＰＣ５０１の両面側において特徴的な断面形状を有するようにしてもよい。
【００８６】
本発明は、上述した実施形態に限られるものではなく、請求の範囲及び明細書全体から読み取れる発明の要旨、あるいは思想に反しない範囲で適宜変更可能であり、そのような変更を伴う電気光学装置用実装ケース、電気光学装置及び電子機器もまた、本発明の技術的範囲に含まれるものである。尚、上記実施形態では、一例として液晶パネルを備えた液晶ライトバルブについて説明したが、本発明の電気光学装置は、電気光学パネルとして、液晶パネル以外にエレクトロルミネッセンス装置、電気泳動装置、電子放出素子を利用した表示装置（Field Emission Display及びSurface-Conduction Electron-Emitter Display）等の各種の表示装置を備えていてよい。また、そのような電気光学装置を備える本発明の電子機器は、投射型だけでなく反射型のプロジェクタであってよく、その他にもテレビジョン受像機、携帯電話、電子手帳、ワードプロセッサ、ビューファインダ型又はモニタ直視型のビデオテープレコーダ、ワークステーション、テレビ電話、ＰＯＳ端末、タッチパネルなどの各種の電子機器を実現できる。
【図面の簡単な説明】
【００８７】
【図１】本発明に係る電子機器の実施形態の平面図である。
【図２】本発明に係る電気光学装置の実施形態の平面図である。
【図３】図２のＨ−Ｈ’断面図である。
【図４】本発明の実施形態に係る電気光学装置の分解斜視図である。
【図５】本発明の実施形態に係る電気光学装置の平面図である。
【図６】図５のＸ１−Ｘ１’断面図である。
【図７】図５のＹ１−Ｙ１’断面からみた矢視図である。
【図８】図５のＺ１方向から臨んだ正面図である。
【図９】図５のＺ２方向から臨んだ背面図である。
【図１０】本発明の実施形態に係る電気光学装置の一部分を拡大して表す斜視図である。
【図１１】本発明の実施形態に係る電気光学装置の一部分を拡大して表す断面図である。
【図１２】本発明の実施形態に係る電気光学装置の斜視図であって、当該電気光学装置に対する典型的な風の流れ方を示した説明図である。
【図１３】本発明の実施形態に係る電気光学装置の平面図であって、冷却風導通部を流れる冷却風を特に示した説明図である。
【図１４】本発明の実施形態に係る電気光学装置の壁部の変形例を示す断面図である。
【図１５】本発明の実施形態に係る電気光学装置の壁部の変形例を示す断面図である。
【符号の説明】
【００８８】
１０…ＴＦＴアレイ基板、２０…対向基板、５０…液晶層、６１…（冷却風出口を規定する）壁部、６１ａ…切り欠き部、６１ａ’…稜部、５００…液晶パネル、５０１…ＦＰＣ、５０２…保護膜、６０１…実装ケース、６１０…プレート部、６２０…カバー部、６２２Ｔ…テーパ部、６２２Ｐ…導風板、６２３…カバー本体部、６２３Ｈ…冷却風導入部、６２３Ｈ１…冷却風入口、６２３Ｈ２…通り路、６２３Ｈ３…冷却風出口、６２８…サイドフィン部、６２４…冷却風排出部、６２４Ｆ…リアフィン部、１００（１００Ｒ、１００Ｇ、１００Ｂ）…液晶ライトバルブ、１１００…液晶プロジェクタ、１１０２…ランプユニット、１３００…シロッコファン。
【図１】
2006119169.tif 000003
【図２】
2006119169.tif 000004
【図３】
2006119169.tif 000005
【図４】
2006119169.tif 000006
【図５】
2006119169.tif 000007
【図６】
2006119169.tif 000008
【図７】
2006119169.tif 000009
【図８】
2006119169.tif 000010
【図９】
2006119169.tif 000011
【図１０】
2006119169.tif 000012
【図１１】
2006119169.tif 000013
【図１２】
2006119169.tif 000014
【図１３】
2006119169.tif 000015
【図１４】
2006119169.tif 000016
【図１５】
2006119169.tif 000017